【手続補正書】
【提出日】平成17年11月15日(2005.11.15)
【手続補正１】
【補正対象書類名】明細書
【補正対象項目名】特許請求の範囲
【補正方法】変更
【補正の内容】
【特許請求の範囲】
【請求項１】  アニオン性界面活性剤および／または非イオン性界面活性剤および／またはベタイン界面活性剤の界面活性剤混合物を含む、流動性で貯蔵安定性の手による食器洗浄用洗剤であって、0.01〜5重量％のポリマーを含有し、温度20℃および剪断速度10 s-1において1,000〜10,000 mPasの粘度を有し、かつ、温度20℃および剪断速度30 s-1において500〜8,000 mPasの粘度を有することを特徴とする洗剤。
【請求項２】  温度20℃および剪断速度10 s-1において1,300〜9,000 mPas、好適には1,500〜7,000 mPasの粘度を有し、かつ、温度20℃および剪断速度30 s-1において900〜7,000 mPas、好適には1,100〜6,000 mPasの粘度を有する請求項1記載の洗剤。
【請求項３】  界面活性剤混合物は、アニオン性界面活性剤および非イオン性界面活性剤を含む請求項1または2記載の洗剤。
【請求項４】  界面活性剤混合物は、ベタイン界面活性剤を含む請求項1〜3のいずれかに記載の洗剤。
【請求項５】  非イオン性界面活性剤として、アルキルポリグリコシド、好適にはアルキルポリグルコシドを含む請求項1〜4のいずれかに記載の洗剤。
【請求項６】  上記ポリマーの含有量は、0.05〜3重量％、好適には0.1〜1.5重量％、より好適には0.2〜0.9重量％である請求項1〜5のいずれかに記載の洗剤。
【請求項７】  上記ポリマーは、アクリル酸ポリマー、アクリル酸／メタクリル酸コポリマーおよびカルボキシビニルポリマーからなる群から選ばれる請求項1〜6のいずれかに記載の洗剤。
【請求項８】  界面活性剤混合物の含有量は、0.2〜60重量％、好適には1〜55重量％、より好適には3〜50重量％、特に5〜45重量％である請求項1〜7のいずれかに記載の洗剤。
【請求項９】  （a）0.2〜49.8重量％、好適には5〜45重量％、より好適には10〜40重量％のアニオン性界面活性剤、特に脂肪アルコールエーテルスルフェート、
（b）0.1〜14.9重量％、好適には1〜8重量％の非イオン性界面活性剤、特にアルキルポリグルコシド、および
（c）0.1〜14.9重量％、好適には0.5〜10重量％のベタイン界面活性剤、特にアルキルアミドベタインを含む請求項1〜8のいずれかに記載の洗剤。
【請求項１０】  0.5〜15重量％の脂肪アルコールスルフェートを含む請求項1〜9のいずれかに記載の洗剤。
【請求項１１】  付加的な成分として、ジカルボン酸および／またはその塩、ギ酸ナトリウム、酢酸ナトリウム、酒石酸ナトリウム、塩化ナトリウム、塩化マグネシウム、これらのアニオンと他のアルカリ金属もしくはアルカリ土類金属との塩を、単独または混合物の形態で含み、その含有量は、好適には0.1〜8重量％、より好適には0.5〜7重量％である請求項1〜10のいずれかに記載の洗剤。
【請求項１２】  さらに、溶媒、例えばエタノールのような1またはそれ以上の低分子量アルコールを、好適には3〜12重量％、より好適には4〜10重量％の含有量で含む請求項1〜11のいずれかに記載の洗剤。
【請求項１３】  手による食器洗浄用洗剤中の他の代表的な成分として、紫外線安定化剤、制泡剤、溶媒、構造剤、香料、染料、防食剤、防腐剤などを含む請求項1〜12のいずれかに記載の洗剤。
【手続補正２】
【補正対象書類名】明細書
【補正対象項目名】００１３
【補正方法】変更
【補正の内容】
【００１３】
したがって、本発明は、アニオン性界面活性剤および／または非イオン性界面活性剤および／またはベタイン界面活性剤の界面活性剤混合物を含む、流動性で貯蔵安定性の手による食器洗浄用洗剤であって、0.01〜5重量％のポリマーを含有し、温度20℃および剪断速度10 s-1において1,000〜10,000 mPasの粘度を有し、かつ、温度20℃および剪断速度30 s-1において500〜8,000 mPasの粘度を有することを特徴とする洗剤を提供する。
【手続補正３】
【補正対象書類名】明細書
【補正対象項目名】００１５
【補正方法】変更
【補正の内容】
【００１５】
本発明の好適な一具体例によれば、界面活性剤混合物は、アニオン性界面活性剤と非イオン性界面活性剤との混合物である。しかしながら、多数の用途のため、有利には、混合物中にベタインを使用し、より好適にはベタインをアニオン性界面活性剤および非イオン性界面活性剤と組み合わせて使用する。本発明の好適な一具体例によれば、界面活性剤は、全量で、0.2〜60重量％、好適には1〜55重量％、より好適には3〜50重量％、特に5〜45重量％の量で含む。
【手続補正４】
【補正対象書類名】明細書
【補正対象項目名】００１７
【補正方法】変更
【補正の内容】
【００１７】
アニオン性界面活性剤
本明細書に用いられる「アニオン性界面活性剤」なる用語は、脂肪族スルフェート、例えば脂肪アルコールスルフェート、脂肪アルコールエーテルスルフェート、ジアルキルエーテルスルフェート、モノグリセリドスルフェートなど、および脂肪族スルホネート、例えばアルカンスルホネート、オレフィンスルホネート、エーテルスルホネート、n-アルキルエーテルスルホネート、エステルスルホネート、リグニンスルホネートなどを意味する。本発明によれば、脂肪酸シアナミド、スルホコハク酸エステル、脂肪酸イセチオネート、アシルアミノアルカンスルホネート（脂肪酸タウリド）、脂肪酸サルコシネート、エーテルカルボン酸およびアルキル（エーテル）ホスホネートも、使用することができる。
【手続補正５】
【補正対象書類名】明細書
【補正対象項目名】００１９
【補正方法】変更
【補正の内容】
【００１９】
アニオン性界面活性剤は、0.2〜49.8重量％、好適には5〜45重量％、より好適には10〜40重量％の量で使用する。
【手続補正６】
【補正対象書類名】明細書
【補正対象項目名】００２５
【補正方法】変更
【補正の内容】
【００２５】
双性界面活性剤は、好適には0.1〜14.9重量％、より好適には0.5〜10重量％、特に1〜8重量％の量で使用される。
【手続補正７】
【補正対象書類名】明細書
【補正対象項目名】００３０
【補正方法】変更
【補正の内容】
【００３０】
本発明の特に好適な一具体例によれば、本発明の洗剤の粘度は、前記ポリマーを、0.01〜5重量％、好適には0.02〜4重量％、より好適には0.05〜3重量％、特に0.1〜1.5重量％、特に好適には0.2〜0.9重量％の量で用いて調節することができる。この量は、用いたポリマーによって異なりうる。ポリマーの量の選択において、使用される界面活性剤の組成も、１つのファクターとなる。メタクリル酸／アクリル酸コポリマーおよびアクリル酸ポリマーが、特に好適であることが判明した。
【手続補正８】
【補正対象書類名】明細書
【補正対象項目名】００３３
【補正方法】変更
【補正の内容】
【００３３】
ジカルボン酸および／またはその塩
以上の要件に関し、1またはそれ以上のジカルボン酸および／またはその塩を添加することによって、好適な利点が得られる。このような物質は、単独の形態または混合物の形態、特に、アジピン酸、コハク酸およびグルタル酸のナトリウム塩（市販の製品、例えば登録商標：Sokalan DSC Na）として、増粘混合物に添加することができる。特に好適な量は、0.1〜8重量％、好適には0.5〜7重量％、より好適には0.8〜6重量％、特に1〜4重量％であることが判明した。
【手続補正９】
【補正対象書類名】明細書
【補正対象項目名】００３４
【補正方法】変更
【補正の内容】
【００３４】
ジカルボン酸（塩）含有量の変化、特に2重量％を超える量での変化によって、洗剤成分溶液の透明化に貢献することができる。また、混合物の粘度も、このような所定範囲内で影響を受けうる。加えて、この成分は、混合物の溶解性に影響を与えうる。
【手続補正１０】
【補正対象書類名】明細書
【補正対象項目名】００３８
【補正方法】変更
【補正の内容】
【００３８】
また、溶媒の量は、本発明の洗剤の均一性および粘度に影響を与える。溶媒の使用量がごく少量、特に3重量％未満の量である場合、洗剤の組成に応じて、洗剤組成物は、不均一になる。粘度は、溶媒使用量の増加によって減少させることができる。